(57)【要約】【課題】バスタブ自体を所定温度に維持することで、温泡の冷え等を抑制して快適な温泡入浴が可能となる温泡入浴装置を提供する。【解決手段】底壁と側壁とを備えたバスタブと、該バスタブ内にその吐出口から所定温度の温泡を吐出する温泡発生手段と、バスタブの底壁及び又は側壁を加温する加温手段と、加温手段及び温泡発生手段を制御する制御手段と、を具備することを特徴とする。前記制御手段は、バスタブ温度検出手段で検出されたバスタブの温度に基づいて、加温手段及び又は温泡発生手段の作動を制御したり、温泡温度検知手段で検知されたバスタブ内の温泡の温度に基づいて、加温手段及び又は温泡発生手段の作動を制御する。【選択図】  図２
2004261501.tif 000002
【特許請求の範囲】
【請求項１】
底壁と側壁とを備えたバスタブと、該バスタブ内にその吐出口から所定温度の温泡を吐出する温泡発生手段と、前記バスタブの底壁及び又は側壁を加温する加温手段と、該加温手段及び前記温泡発生手段を制御する制御手段と、を具備することを特徴とする温泡入浴装置。
【請求項２】
前記制御手段は、バスタブ温度検出手段で検出されたバスタブの温度に基づいて、前記加温手段及び又は温泡発生手段の作動を制御することを特徴とする請求項１に記載の温泡入浴装置。
【請求項３】
前記制御手段は、温泡温度検出手段で検出されたバスタブ内の温泡の温度に基づいて、前記加温手段及び又は温泡発生手段の作動を制御することを特徴とする請求項１または２に記載の温泡入浴装置。
【請求項４】
前記制御手段は、温泡量検出手段で検出されたバスタブ内の温泡量に基づいて、前記温泡発生手段の作動を制御することを特徴とする請求項１ないし３のいずれかに記載の温泡入浴装置。
【請求項５】
前記制御手段は、所定時間毎に温泡発生手段を作動させてバスタブ内に一定量の温泡を吐出することを特徴とする請求項１ないし４のいずれかに記載の温泡入浴装置。
【請求項６】
前記制御手段は、温泡吐出操作手段が操作された際に一定量の温泡をバスタブ内に吐出することを特徴とする請求項１ないし５のいずれかに記載の温泡入浴装置。
【請求項７】
前記加温手段は、電気式もしくは温水式に構成されていることを特徴とする請求項１ないし６のいずれかに記載の温泡入浴装置。
【請求項８】
前記温泡発生手段、加温手段及び制御手段は、バスタブが設置されるシステムバスルームに一体的に配置されていることを特徴とする請求項１ないし７のいずれかに記載の温泡入浴装置。
【発明の詳細な説明】
【０００１】
【発明の属する技術分野】
本発明は、浴室のバスタブ内に温泡を吐出させて入浴できる温泡入浴装置に関する。
【０００２】
【従来の技術】
従来、バスタブ内に温泡を吐出させて入浴する温泡入浴装置としては、例えば特許文献１に開示されており、バスタブと、温泡発生装置及び該温泡発生装置に接続されたダクト等を有している。そして、この温泡入浴装置は、温泡発生装置を作動させて温泡を発生させ、この温泡をダクトを介してバスタブ内に吐出させることによって、温泡入浴が可能となるように構成されている。
【０００３】
【特許文献１】
特開平９−２０３１５５号公報
【０００４】
【発明が解決しようとする課題】
しかしながら、このような温泡入浴装置においては、温泡発生装置で発生した温泡を浴室内に設置されたバスタブ内に所定量吐出させて入浴するようにしているため、温泡入浴の際に、温泡がさめ易く（冷え易く）、温泡の温度を所定温度に所定時間維持することが困難で、入浴者の例えば足先や指先等を十分に暖めつつ快適な温泡入浴を行うことが難しいという問題点を有している。
【０００５】
すなわち、浴室内の例えば防水パン上にＦＲＰ等で成形されたバスタブが単に設置されているのみであることから、このバスタブ内に温泡を吐出させた場合に、バスタブ自体の温度が比較的低い温度であり、吐出された温泡の温度がバスタブによって冷やされて下がることになる。その結果、入浴者の所望する温度の温泡による入浴が短時間に限られてしまい、温泡入浴上好ましくない。また、温泡によりバスタブ自体の温度を温水のように短時間で暖めることが難しく、足先等が触るバスタブ自体の温度を所定温度に素早く維持することが困難で、温泡入浴の快適性の面でも劣ることになる。
【０００６】
本発明は、このような事情に鑑みてなされたもので、その目的は、バスタブ自体を所定温度に維持することで、温泡の冷え等を抑制して快適な温泡入浴が可能となる温泡入浴装置を提供することにある。
【０００７】
【課題を解決するための手段】
かかる目的を達成すべく、本発明のうち請求項１に記載の発明は、底壁と側壁とを備えたバスタブと、該バスタブ内にその吐出口から所定温度の温泡を吐出する温泡発生手段と、前記バスタブの底壁及び又は側壁を加温する加温手段と、該加温手段及び前記温泡発生手段を制御する制御手段と、を具備することを特徴とする。
【０００８】
このように構成することにより、温泡発生手段の作動で内部に温泡が所定量吐出収容されるバスタブは、加温手段の作動でその底壁や側壁が所定温度まで加温された状態で温泡が吐出される。この時、加温手段や温泡発生手段が制御手段で制御されることにより、バスタブの温度を所定温度に維持しつつバスタブ内に吐出された温泡を所定温度に維持できて、足先の冷え等を防止した快適な温泡入浴が可能になる。
【０００９】
そして、前記制御手段は、請求項２に記載の発明のように、バスタブ温度検出手段で検出されたバスタブの温度に基づいて、前記加温手段及び又は温泡発生手段の作動を制御することが好ましい。このように構成することにより、バスタブの温度がバスタブ温度検出手段で検出され、この検出温度に基づいて、例えば加温手段の作動が制御されることから、バスタブの温度を最適温度に容易に維持できる。
【００１０】
また、前記制御手段は、請求項３に記載の発明のように、温泡温度検出手段で検出されたバスタブ内の温泡の温度に基づいて、前記加温手段及び又は温泡発生手段の作動を制御することが好ましい。このように構成することにより、バスタブ内の温泡の温度が温泡温度検出手段で検出され、この検出温度に基づいて例えば加温手段の作動が制御されることから、バスタブ内の温泡の温度を最適温度に容易に維持できる。
【００１１】
また、前記制御手段は、請求項４に記載の発明のように、温泡量検出手段で検出されたバスタブ内の温泡量に基づいて、前記温泡発生手段の作動を制御することが好ましい。このように構成することにより、バスタブ内の温泡量が温泡量検出手段で検出され、例えば温泡量が所定量より少なくなった場合に、温泡発生手段から所定量の温泡が吐出されることから、バスタブ内の温泡量を温泡入浴に最適な量に容易に維持できる。
【００１２】
また、前記制御手段は、請求項５に記載の発明のように、所定時間毎に温泡発生手段を作動させてバスタブ内に一定量の温泡を吐出することが好ましい。このように構成することにより、所定時間毎に制御手段の制御信号で温泡発生手段が作動して、一定量の温泡をバスタブ内に吐出させることから、バスタブ内の温泡量が所定量に容易に確保される。
【００１３】
また、前記制御手段は、請求項６に記載の発明のように、温泡吐出操作手段が操作された際に一定量の温泡をバスタブ内に吐出することが好ましい。このように構成することにより、例えばリモコンに設けられた温泡吐出操作手段としてスイッチを操作することで、温泡発生手段が作動して一定量の温泡がバスタブ内に吐出されることから、バスタブ内の温泡量が所定量に容易に確保される。
【００１４】
また、前記加温手段は、請求項７に記載の発明のように、電気式もしくは温水式に構成されていることが好ましい。このように構成することにより、加温手段として、電気ヒータ式や浴室の暖房装置等として使用される温水式が使用されることから、加温手段の構成が簡略化されると共にそのランニングコストの低減化等が図れる。
【００１５】
また、前記温泡発生手段、加温手段及び制御手段は、請求項８に記載の発明のように、バスタブが設置されるシステムバスルームに一体的に配置されていることが好ましい。このように構成することにより、温泡入浴に必要な各手段がバスタブが設置されるシステムバスルームに一体的に配置されることから、システムバスルームを温泡入浴用としても使用でき、一般家庭等においても快適な温泡入浴が容易に行える。
【００１６】
【発明の実施の形態】
以下、本発明の実施の形態を図面に基づいて詳細に説明する。
図１〜図５は、本発明に係わる温泡入浴装置の一実施形態を示し、図１が該温泡入浴装置を使用した浴室の概略構成図、図２がバスタブの側面図、図３がその平面図、図４が温泡入浴装置のブロック図、図５がその動作の一例を説明するためのタイミングチャートである。
【００１７】
図１において、システムバスルームとしての浴室１は、防水パン２と、浴室壁面としての４枚の壁パネル３ａ〜３ｄ（壁パネル３ｄは図示せず）及び浴室天井としての例えばドーム型の２枚の天井パネル４ａ、４ｂによって略箱状に形成されている。前記防水パン２の壁パネル３ａ側にはバスタブ５が設置されると共に、このバスタブ５の側方の防水パン２上には洗い場６が設けられている。また、洗い場６の壁パネル３ｂ側にはカウンタ７が設けられ、このカウンタ７上方の壁パネル３ｂには、水栓９、シャワー１０、ミラー１１、収納棚１２等が一体的に組み込まれたミラーパネル８が配置されている。
【００１８】
そして、前記バスタブ５には、温泡入浴装置１３が配設されている。この温泡入浴装置１３は、ハスタブ５内に所定温度の温泡を吐出させる温泡発生装置１４（温泡発生手段）と、バスタブ５の底壁５ａを加温する加温装置１５（加温手段）と、これらを制御するコントロールユニット１６（制御手段）等を有している。
【００１９】
前記温泡発生装置１４は、例えば特許文献１に示す温泡発生装置と同様に構成されて所定温度の温泡を発生させると共に、この発生した温泡を配管１７によりバスタブ５の上面フランジに配設された温泡吐出口１８まで導き、該温泡吐出口１８からバスタブ５内に吐出するようになっている。なお、温泡発生装置１４は、例えばバスタブ５の側壁５ｂの外側で図示しない壁パネル３ｄとの間で形成される空間内に収納配置されている。
【００２０】
また、前記加温装置１５は、図２及び図３に示すように、絶縁材からなる本体１５ａの内部に電気ヒータ１５ｂが、全長に亘って絶縁状態で例えば蛇行状（あるいは螺旋状や格子状等）に内蔵された板状に形成され、バスタブ５の底壁５ａ下面に接着等により一体的に取り付けられている。そして、電気ヒータ１５ｂの両端部がコントロールユニット１６の電源ユニット２０（図４参照）に接続され、この電源ユニット２０から所定の電源が供給されることで電気ヒータ１５ｂが加熱され、板状の加温装置１５を所定温度まで加温してバスタブ５の底壁５ａ部分が加温されるようになっている。
【００２１】
前記コントロールユニット１６は、図４に示すように、マイコン等からなる制御装置１９と、この制御装置１９に接続された、浴室１のバスタブ５近傍の壁パネル３ａに取り付けられたリモコン２１及び前記加温装置１５に所定の電源を供給する前記電源ユニット２０等を有している。また、制御装置１９の入力側には、バスタブ５の底壁５ａの温度を検出するバスタブ温度センサ２２と、バスタブ５内に吐出された温泡の温度を検出する温泡温度センサ２３、及びバスタブ５の側壁５ｂや上面に等に配設されバスタブ５内の温泡量を検出する温泡量検出センサ３１等のセンサ群が接続されている。なお、バスタブ温度センサ２２や温泡温度センサ２３等は、例えばサーミスタ等の温度センサが使用される。
【００２２】
また、前記制御装置１９に有線もしくは無線で接続されたリモコン２１は、その内部にマイコンやタイマー等を有すると共に、その操作部には温泡発生装置１４を作動させる温泡入浴スイッチ２５と加温スイッチ２６及び温泡吐出スイッチ３２（図１参照）が設けられると共に、通常の湯による入浴時に使用する暖房、サウナ、乾燥、換気等の各種運転スイッチ、あるいはタイマーや前記各種センサの検出温度等を表示する表示器（いずれも図示せず）等が設けられている。なお、リモコン２１は、浴室１内の壁パネル３ａに固定的（もしくは移動可能）に配設されるが、このリモコン２１と略同一機能を有する浴室外リモコンを浴室１のドアが設けられる壁パネル３ｃの外側に配置することもできる。
【００２３】
次に、この温泡入浴装置１３の動作の一例を図５のタイミングチャート等に基づいて説明する。先ず、通常の湯（温水）による入浴は、バスタブ５の壁パネル３ｂ側に設けられた吐水口３０から所定温度の湯をバスタブ５内に吐水させて行い、この通常入浴時には、温泡発生装置１４や加熱装置１５の作動を停止させた状態で行う。そして、温泡入浴を行う場合は、リモコン２１に設けられた温泡入浴スイッチ２５をオン操作することによって行う。
【００２４】
すなわち、図５（ａ）に示すように、時刻ｔ１で温泡入浴（温泡運転）スイッチ２５がオンすると、図５（ｂ）に示すように、この温泡入浴スイッチ２５のオンと略同時に、コントロールユニット１６の制御装置１９から電源ユニット２０に制御信号が出力され加温装置１５が作動してオンとなる。この加温装置１５のオンにより、その電気ヒータ１５ｂに所定の電源が供給されて該電気ヒータ１５ｂが加熱され、この加熱によりバスタブ５の底壁５ａ部分が除々に加温される。
【００２５】
そして、加温装置１５がオンすると、バスタブ５の底壁５ａ部分の温度がバスタブ温度センサ２２で逐次検出されてその検出信号が制御装置１９に入力され、制御装置１９はこの検出温度とその記憶部に予め設定されている基準温度とを比較する。検出温度が基準温度に達すると、すなわち、図５（ｃ）に示すように、時刻ｔ１から時間Ｔが経過した後にバスタブ５の底壁５ａの温度が予め設定された温度まで上昇すると、制御装置１９から温泡発生装置１４に作動信号が出力されて温泡発生装置１４がオンし、温泡を発生させ配管１７を介して温泡吐出口１８からバスタブ５内に吐出させる。
【００２６】
この温泡吐出口１８から、所定時間温泡が吐出されるか、あるいは前記温泡量検出センサ３１で所定量の温泡量を検出した場合に、制御装置１９の停止信号により温泡発生装置１４をオフさせる。これにより、底壁５ａ部分が所定温度に加温されたバスタブ５内に所定温度で所定量の温泡が吐出され、このバスタブ５内の温泡内に入浴者が入浴することで温泡入浴が行われる。この時、バスタブ５の底壁５ａ部分が所定温度に維持された状態で温泡が吐出されることから、バスタブ５内に吐出された温泡がバスタブ５の底壁５ａ等によって冷やされることがなくなり、温泡の保温が良好に行え、例えば快適な温度の温泡による入浴を十分な時間行うことが可能となる。
【００２７】
そして、この温泡入浴中は、温泡温度センサ２３でバスタブ５内の温泡の温度が検出され、その検出温度に基づき制御装置１９によって、加温装置１５や温泡発生装置１４が制御される。すなわち、例えば温泡温度が予め設定されている基準温度より低くなった場合は、加温装置１５を作動させてバスタブ５の底壁５ａ部分を加温することでバスタブ５に接触している温泡を間接的に加温するか、あるいは温泡発生装置１４から所定温度（例えば高温）の新たな温泡を、例えば前記温泡吐出スイッチ３２のオン操作で吐出させることにより、バスタブ５内の温泡が所定温度に維持される。
【００２８】
このようにして温泡入浴を行った後は、吐水口３０やシャワー１０から湯や水を吐水させてバスタブ５内に残存する温泡等を軽く洗い流すだけで、その後に通常入浴が可能となる。つまり、温泡入浴装置１３をシステムバスルーム等の浴室１に付設することにより、温泡入浴と通常入浴とを入浴者の好みに応じて適宜に選択使用できることになる。
【００２９】
なお、制御装置１９による加温装置１５と温泡発生装置１４の制御は、図５の二点鎖線ａ、ｂで示すように、作動した後にオン・オフ制御して、バスタブ５の底壁５ａ部分の温度を所定温度に維持したり、温泡発生装置１４からの温泡の吐出量、さらには温泡の温度等を所定に制御することが好ましい。また、温泡発生装置１４の場合は、例えばリモコン２１のタイマー等で予め設定した所定時間毎に作動させて、一定量の温泡をバスタブ５に吐出させる構成としてもよく、この場合は制御の簡略化が図れることになる。
【００３０】
また、上記説明においては、温泡吐出口１８をバスタブ５の上部フランジに設けることで入浴時の枕としても使用できる構成したが、例えば温泡吐出口１８を図１の二点鎖線で示すバスタブ５の側面内側上部のグリップ２７に設けることもできる。このように構成すれば、入浴中に入浴者が握るグリップ２７の付加価値を高めることができると共に、温泡吐出口１８がバスタブ５近傍にそのまま露出することがなくなることから、バスタブ５自体のデザイン性の低下を防止できることになる。
【００３１】
このように、上記実施形態の浴室１の温泡入浴装置１３にあっては、バスタブ５の底壁５ａに加温装置１５が配設され、この加温装置１５が制御装置１９の制御信号で作動することによりバスタブ５の底壁５ａ部分が加温されるため、バスタブ５を暖めた状態でその内部に温泡を吐出させることができ、温泡の冷えを抑制することができる。また、バスタブ５の底壁５ａ部分が所定温度に加温されるため、温泡入浴中の入浴者の足先等が触れる底壁５ａ部分を最適温度に設定して足先等を効果的に暖めることができ、これらのことから快適な温泡入浴が可能になる。
【００３２】
また、バスタブ温度センサ２２で検出された温度に基づいて加温装置１５の作動が制御装置１９によって制御されるため、バスタブ温度を所定温度に設定できると共に、温泡温度センサ２３の検出温度で温泡発生装置１４や加温装置１５の作動が制御装置１９によって制御されるため、入浴中の温泡自体の温度を所定温度に設定でき、温泡入浴中のバスタブ５の温度や温泡の温度をその入浴に最適な温度に容易に設定することができる。また同時に、温泡量検出センサ３１の検出信号でバスダフ５内の温泡量を所定量に設定することができるため、バスタブ５内の温泡量を例えば温泡入浴中常時最適量に容易に維持することができる。
【００３３】
また、リモコン２１に設けた温泡入浴スイッチ２５のオン操作により、加温装置１５が作動した後の所定時間Ｔ後に温泡発生装置１４が作動するため、加温されたバスタブ５内に所定温度の温泡を吐出させることができ、バスタブ５内の温泡の冷えを防止することができて、温泡入浴時の温泡の温度を最適温度に所定時間容易に維持することができる。これらのことから一層快適な温泡入浴を行うことが可能になる。
【００３４】
さらに、温泡入浴装置１３が加温装置１５と温泡発生装置１４及び制御装置１９等で構成され、これらが浴室１に一体的に組み込み配置されるため、例えばシステムバスルームであっても容易に付設することができて、一般家庭等のシステムバスルームにおいても温泡入浴を手軽に行うことが可能になる。この場合、例えばバスタブ５に所定量の湯を入れこの湯の上に温泡を吐出して入浴する温泡入浴も可能となり、一つの浴室１において、温泡入浴、一部湯を使用した温泡入浴及び湯のみを使用した通常入浴の３種類の入浴を行うことができると共に、これらを入浴者の好みに応じて選択できる等、付加価値の高い浴室１を得ることが可能になる。
【００３５】
また、リモコン２１に設けた温泡入浴スイッチ２５をオン操作することにより、加温装置１５が自動的に作動してバスタブ５を所定温度まで加温すると共に、所定時間Ｔ後に温泡発生装置１４が自動的に作動して温泡が加温されたバスタブ５内に吐出されるため、温泡入浴時の操作をワンタッチで行うことができる。また、リモコン２１に設けられた温泡吐出スイッチ３２のオン操作で一定量の温泡を吐出させることができるため、所望時期にバスタブ５内に一定量の温泡を吐出させることもできる。
【００３６】
これらのことから、操作性に優れた温泡入浴装置１３を得ることができ、特に、リモコン２１に設けられた加温スイッチ２６のオン操作により、加温装置１５のみを作動させることができることから、通常の入浴時にこの加温スイッチ２６をオン操作することで、所定温度まで素早く加温したバスタブ５内に湯を吐水させ足先等を効果的に暖めつつ入浴できる等、バスタブ５の使い勝手の一層の向上を図ることが可能になる。
【００３７】
またさらに、加温装置１５が電気ヒータ１５ｂを有する板状に形成されているため、加温装置１５自体の構成を簡易にして安価に形成したり、既存のバスタブ５でも設計変更等することなく容易に対応することができると共に、加温装置１５自体のバスタブ５への設置を容易に行うことが可能になる。また、温泡吐出口１８に枕等の機能を付加したり、グリップ２７を温泡吐出口１８として兼用するようにすれば、温泡入浴装置１３の使い勝手の一層の向上を図ること等が可能になる。
【００３８】
図６及び図７と図８は本発明に係わる温泡入浴装置の他の実施形態を示している。以下、上記実施形態と同一部位には同一符号を付して説明する。先ず、図６及び図７に示す実施形態の温泡入浴装置１３の特徴は、加温装置１５をバスタブ５の底壁５ａから側壁５ｂにかけて包み込むように配設した点にある。すなわち、加温装置１５の本体１５ａをバスタブ５の底壁５ａ外面及び所定高さの側壁５ｂ外面に取り付け、この加温装置１５の作動でバスタブ５の底壁５ａ部分や側壁５ｂ部分を加温する。
【００３９】
この実施形態においても、加温装置１５でバスタブ５を加温でき、その際、底壁５ａ部分のみならず側壁５ｂ部分まで加温できることから、温泡が吐出収容されるバスタブ５の略全域を所定温度に加温でき、温泡の冷めを一層効果的に抑制することができる等、上記実施形態と同様の作用効果を得ることができる。特に、この実施形態においては、バスタブ５の側壁５ｂ部分も加温されることから、例えばこの側壁５ｂに触れる入浴者の手先等も暖めることができて、一層快適な温泡入浴等が可能になるという作用効果が得られる。
【００４０】
また、図８に示す実施形態の温泡入浴装置１３の特徴は、加温装置１５を温水循環式に構成した点にある。すなわち、図２の二点鎖線で示すように、バスタブ５の例えば底壁５ａに取り付けられる加温装置１５の本体１５ａ内に温水循環用の給湯管１５ｃを内臓し、この給湯管１５ｃの両端部と給湯機２８とをコントロールユニット１６を介して配管２９で接続する。そして、コントロールユニット１６により給湯機２８を作動させて配管２９を介して加温装置１５の給湯管１５ｃ内に温水を循環供給することで、加温装置１５でバスタブ５の底壁５ａ部分を加温させる。
【００４１】
この実施形態においても、加温装置１５でバスタブ５の底壁５ａ部分を所定温度まで加温できて、上記実施形態と同様の作用効果が得られる他に、浴室１に使用される給湯機２８の温水を加温装置１５のエネルギーとして使用でき、省エネ化やランニングコストの低減化が図れると共に、加温装置１５を浴室１に使用される暖房装置等と同様に使用できて、安全性の一層の向上が図れるという作用効果が得られる。
【００４２】
なお、本発明は上記各実施形態のそれぞれに限定されるものではなく、例えば図８に示す実施形態と図６に示す実施形態を組み合わせる等、各実施形態の一部や全部を適宜に組み合わせることもできる。また、上記各実施形態においては、加温装置１５をバスタブ５の底壁５ａと底壁５ａ及び側壁５ｂに配設したが、例えば側壁５ｂのみに配設することもできるし、加温装置１５自体の構造も、電気ヒータ式や温水循環式に限らず、他の適宜の加温装置を使用することができる。
【００４３】
さらに、上記実施形態におけるバスタブ温度センサ２２や温泡温度センサ２３及び温泡量検出センサ３１の配置位置や個数も一例であって、例えば各センサ２２、２３、３１をバスタブ５の適宜位置に複数個設けることもできるし、温泡発生装置１４の設置位置や浴室１内部の形態、コントロールユニット１６の構成及びその制御例、リモコン２１に設けられるスイッチの種類等も一例であって、本発明の各発明に係わる要旨を逸脱しない範囲において適宜に変更することができる。
【００４４】
【発明の効果】
以上詳述したように、請求項１に記載の発明によれば、加温手段でバスタブの底壁や側壁が所定温度まで加温された状態で温泡発生手段からバスタブ内に所定温度の温泡が吐出されるため、温泡の冷えを抑制しつつバスタブ内の温泡を所定温度に容易に維持できて、足先の冷え等を防止した快適な温泡入浴を行うことができる。
【００４５】
また、請求項２に記載の発明によれば、請求項１に記載の発明の効果に加え、バスタブの温度がバスタブ温度検出手段で検出され、この検出温度に基づいて、制御手段により例えば加温手段の作動が制御されるため、バスタブの温度を温泡入浴に最適な温度に容易に維持することができる。
【００４６】
また、請求項３に記載の発明によれば、請求項１または２に記載の発明の効果に加え、バスタブ内の温泡の温度が温泡温度検出手段で検出され、この検出温度に基づいて、制御手段により例えば加温手段の作動が制御されるため、バスタブ内の温泡の温度を温泡入浴に最適な温度に容易に維持することができる。
【００４７】
また、請求項４に記載の発明によれば、請求項１ないし３に記載の発明の効果に加え、バスタブ内の温泡量が温泡量検出手段で検出され、例えば温泡量が所定量より少なくなった場合に、温泡発生手段から所定量の温泡が吐出されるため、バスタブ内の温泡量を温泡入浴に最適な量に容易に維持することができる。
【００４８】
また、請求項５に記載の発明によれば、請求項１ないし４に記載の発明の効果に加え、所定時間毎に制御手段の制御信号で温泡発生手段が作動して、一定量の温泡をバスタブ内に吐出させるため、バスタブ内の温泡量を簡易な構成により所定量に容易に確保することができる。
【００４９】
また、請求項６に記載の発明によれば、請求項１ないし５に記載の発明の効果に加え、例えば操作盤としてのリモコン等に設けられた温泡吐出操作手段を操作することで、温泡発生手段が作動して一定量の温泡がバスタブ内に吐出されるため、バスタブ内の温泡量を簡易な構成により所定量に容易に確保することができる。
【００５０】
また、請求項７に記載の発明によれば、請求項１ないし６に記載の発明の効果に加え、加温手段として、電気ヒータ式や浴室の暖房装置等として使用される温水式が使用されるため、加温手段の構成を簡略化できると共にそのランニングコストの低減化等を図ることができる。
【００５１】
また、請求項８に記載の発明によれば、請求項１ないし７に記載の発明の効果に加え、温泡入浴に必要な各手段がバスタブが設置される浴室に一体的に配置されるため、例えばシステムバスルーム等の浴室を温泡入浴用としても容易に使用できる等の効果を奏する。
【図面の簡単な説明】
【図１】本発明に係わる温泡入浴装置の一実施形態を使用した浴室の概略構成図
【図２】同そのバスタブの側面図
【図３】同その平面図
【図４】同温泡入浴装置のブロック図
【図５】同その動作の一例を説明するためのタイミングチャート
【図６】本発明に係わる温泡入浴装置の他の実施形態を示す図２と同様の側面図
【図７】同その図３と同様の平面図
【図８】本発明に係わる温泡入浴装置のさらに他の実施形態を示す概略構成図
【符号の説明】
１・・・・・・・・・・浴室
３ａ〜３ｄ・・・・・・壁パネル
４ａ、４ｂ・・・・・・天井パネル
５・・・・・・・・・・バスタブ
５ａ・・・・・・・・・底壁
５ｂ・・・・・・・・・側壁
１３・・・・・・・・・温泡入浴装置
１４・・・・・・・・・温泡発生装置
１５・・・・・・・・・加温装置
１５ａ・・・・・・・・本体
１５ｂ・・・・・・・・電気ヒータ
１５ｃ・・・・・・・・給湯管
１６・・・・・・・・・コントロールユニット
１８・・・・・・・・・温泡吐出口
１９・・・・・・・・・制御装置
２０・・・・・・・・・電源ユニット
２１・・・・・・・・・リモコン
２２・・・・・・・・・バスタブ温度センサ
２３・・・・・・・・・温泡温度センサ
２５・・・・・・・・・温泡入浴スイッチ
２６・・・・・・・・・加温スイッチ
２８・・・・・・・・・給湯機
３１・・・・・・・・・温泡量検出センサ
３２・・・・・・・・・温泡吐出スイッチ
【図１】
2004261501.tif 000003
【図２】
2004261501.tif 000004
【図３】
2004261501.tif 000005
【図４】
2004261501.tif 000006
【図５】
2004261501.tif 000007
【図６】
2004261501.tif 000008
【図７】
2004261501.tif 000009
【図８】
2004261501.tif 000010